(57)【要約】      （修正有）【課題】一般家庭のお風呂や洗面所で使用する石鹸をゲル状として略球形状又は略楕円球形状の状態で収容して展示販売をするための竹の皮の包装材を提供する。【解決手段】天然繊維の稍長い略二等辺三角形のシート状である竹の皮１と、防水防湿材の内側包装材Ａａで包装された略球形状又は略楕円球形状のゲル状の石鹸Ａと、を備え、竹の皮１を乾燥させ、乾燥した竹の皮１の長手方向の中心より任意の下方位置に内側包装材Ａａで包装した状態の略球形状又は略楕円球形状のゲル状の石鹸Ａを載置し、竹の皮１の長手方向をゲル状の石鹸Ａを下方に位置させて屈曲させると共に上方を細切りした竹の皮１又は糸状部材２で縛り、竹の皮１を略球形状又は略楕円球形状のゲル状の石鹸Ａの外側包装材としたものである。【選択図】図１
0003182726.tif 000002
【実用新案登録請求の範囲】
【請求項１】
天然繊維の稍長い略二等辺三角形のシート状である竹の皮と、防水防湿材の内側包装材で包装された略球形状又は略楕円球形状のゲル状の石鹸と、を備え、前記竹の皮を乾燥させ、該乾燥した竹の皮の長手方向の中心より任意の下方位置に内側包装材で包装した状態の略球形状又は略楕円球形状のゲル状の石鹸を載置し、前記竹の皮の長手方向を前記ゲル状の石鹸を下方に位置させて屈曲させると共に上方を細切りした竹の皮又は糸状部材で縛り、竹の皮を略球形状又は略楕円球形状のゲル状の石鹸の外側包装材としたことを特徴とする竹の皮の包装材。
【考案の詳細な説明】
【技術分野】
【０００１】
本考案は、竹の皮の包装材に関するものであり、更に詳細には、一般家庭のお風呂や洗面所で使用する石鹸をゲル状として略球形状又は略楕円球形状の状態で収容して展示販売をするための竹の皮の包装材に関するものである。
【０００２】
従来から、石鹸は固形状のものか、液状のものかが一般的なものであるが、本願の出願人が先に出願した特願２０１１−２８８２２２で開示したものは、ゲル状の石鹸の組成物を提供するもので、その組成物から製造されたゲル状の石鹸を略球形状又は略楕円球形状の状態で収容する竹の皮の包装材に関するものである。
【背景技術】
【０００３】
つまり、ゲル状の石鹸とは、粘弾性をもつ固体の状態ものであり、一般的な固形石鹸は硬度が高いので薄板状に切断しても変形することは無く、寧ろ、使用中に水分を吸収して液体化することを防ぐように水切り等の工夫がされているが、本願はゲル状の石鹸を提供するものであり、薄板状に切断して商品化しても経時において角部や縁部が垂れてしまい型崩れをしてしまう恐れもあり、更に、本出願人が先に開示した泡立て機能付き石鹸容器は、略球形状又は略楕円球形状の化粧石鹸Ａを収容する容器であって、上方に開口１ａを有し下方に複数の載置用突起を有した略皿状又は略碗状の下方ケーシング１と、下方ケーシング１の開口１ａに着脱自在に合体して全体が略卵形状又は略球形状となる透明部材又は半透明部材で形成された上方ケーシング２と、上方ケーシング２の頂部に穿設した注排出穴部３とを備えるもの（特許文献１参照）や、更に、ご飯に梅酢と梅干としその葉で味を付けて作った寿司ご飯Ｇの上に、焼きのり１と茹でた三ツ葉を介して、茹でたかにの身をのせて作った寿司。また青竹を縦に二分割して作った青竹容器に笹の葉を敷き、その上にかにの身、焼きのり、三ツ葉をのせ、さらにその上に寿司ご飯をのせ、この寿司を一旦竹容器から出して複数個に切り、再び竹容器にもどし竹の皮で包装するもの （特許文献２参照）や、この考案の蒲焼きおむすびは、側面に蒲焼きの切り身１を配置し、蒲焼きのたれをしみ込ませたおむすび２を竹の皮３で包被しており、携行が容易であるので、職場やハイキング先等で気軽に高級感のあるウナ丼の味を賞味できるもの（特許文献３参照）が開示されている。
【特許文献１】実用新案登録第３１７４４２２号公報
【特許文献２】特開２００１−８６４７公報
【特許文献３】実用新案登録第３０８１４４６号公報
【考案の開示】
【考案が解決しようとする課題】
【０００４】
特許文献１に記載のものは、略球形状又は略楕円球形状の化粧石鹸Ａを収容すると共に、泡立て機能を付加させたものであるが、泡立て機能付き石鹸容器は構造が複雑で高価になり使い捨てができないものであり、また、特許文献２に記載のものは、一般的な竹の皮の包装材に関するもので、青竹を縦に二分割して作った青竹容器に笹の葉を敷き、その上にかにの身、焼きのり、三ツ葉をのせ、さらにその上に寿司ご飯をのせ、竹の皮で包装するもので、寿司を竹の皮で包装しようとするものであり、更に、特許文献３に記載のものは、蒲焼きおむすび２を竹の皮３で包被しており、携行が容易なものであり、即ち、食品を包装することは従来から行われてきたものの、抗菌性を有する竹の皮を清潔を保持するための石鹸の包装材として用いる発想はないものである。
【課題を解決するための手段】
【０００５】
前述の課題に鑑み、鋭意研鑽の結果、天然繊維の稍長い略二等辺三角形のシート状である竹の皮と、防水防湿材の内側包装材で包装された略球形状又は略楕円球形状のゲル状の石鹸と、を備え、竹の皮を乾燥させ、乾燥した竹の皮の長手方向の中心より任意の下方位置に内側包装材で包装した状態の略球形状又は略楕円球形状のゲル状の石鹸を載置し、竹の皮の長手方向をゲル状の石鹸を下方に位置させて屈曲させると共に上方を細切りした竹の皮又は糸状部材で縛り、竹の皮を略球形状又は略楕円球形状のゲル状の石鹸の外側包装材としたものである。
【考案の効果】
【０００６】
本考案の竹の皮の包装材は、竹の皮で略球形状又は略楕円球形状のゲル状の石鹸を包装したものであり、奇抜なアイデアで、複数個並べて販売のために展示しているとユーザーから驚嘆の声が聞かれ、人目を引き、更に、竹の皮は昔から抗菌性を有するとされ、おにぎりや高級和菓子等の包装材とされていたが、自然のもので必要な時に必要な数量を確保することは困難で、包装材としては廃れてきているが、この抗菌性を有する竹の皮で略球形状又は略楕円球形状のゲル状の石鹸を包装することにより、石鹸が抗菌状態で流通され、清潔に維持されるもので、画期的で実用性の高い考案である。
【考案を実施するための最良の形態】
【０００７】
以下、本考案の竹の皮の包装材の実施の形態の図面によって具体的に説明すると、図１は本考案の竹の皮の包装材の実施例の開封状態の正面説明図であり、図２は本考案の竹の皮の包装材の次実施例の開封状態の正面説明図であり、図３は本考案の竹の皮の包装材の他の実施例の開封状態の正面説明図であり、図４は本考案の竹の皮の包装材の実施例の包装状態の正面説明図であり、図５は本考案の竹の皮の包装材の実施例の包装状態の背面説明図である。
【０００８】
本考案は、竹の皮の包装材に関するものであり、更に詳細には、一般家庭のお風呂や洗面所で使用する石鹸をゲル状として略球形状又は略楕円球形状の状態で収容して展示販売をするための竹の皮の包装材に関するものであり、天然繊維の稍長い略二等辺三角形のシート状である竹の皮１と、防水防湿材の内側包装材Ａａで包装された略球形状又は略楕円球形状のゲル状の石鹸Ａと、を備え、前記竹の皮１を乾燥させ、該乾燥した竹の皮１の長手方向の中心より任意の下方位置に内側包装材Ａａで包装した状態の略球形状又は略楕円球形状のゲル状の石鹸Ａを載置し、前記竹の皮１の長手方向を前記ゲル状の石鹸Ａを下方に位置させて屈曲させると共に上方を細切りした竹の皮又は糸状部材２で縛り、竹の皮１を略球形状又は略楕円球形状のゲル状の石鹸Ａの外側包装材としたことを特徴とするものである。
【実施例】
【０００９】
即ち、本考案の包装材である竹の皮１は、春から初夏の竹林において収穫される竹の子の皮であり、上下方向に稍長い略二等辺三角形であり、底辺の巾が１２〜１４ｃｍ程度で上下方向が４２〜４７ｃｍ程度の稍長い略二等辺三角形の天然繊維のシート状であり、縦方向には容易に引き裂くことが可能であるが、横方向はかなり丈夫なものである。
【００１０】
そして、石鹸Ａは、本出願人が先に特願２０１１−２８８２２２で出願した皮膚洗浄用ゲル組成物で、予め略球形状又は略楕円球形状に形成したゲル状のものである。
【００１１】
次に、防水防湿材の内側包装材Ａａは、ゲル状の石鹸Ａの未使用状態での経時に亘る乾燥を防ぐために包装しているものであり、ゴムのシートや合成樹脂等のシートで密封しているものである。
【００１２】
次いで、竹の皮１を雑菌の繁殖を抑え、長期の保存が可能のように乾燥させ、乾燥させた竹の皮１の長手方向の中心より任意の下方位置に内側包装材Ａａで包装した状態の略球形状又は略楕円球形状のゲル状の石鹸Ａを載置して、ゲル状の石鹸Ａを下方に位置させるようにして長手方向を屈曲させると共に、上方を絞って、細切りした竹の皮又は糸状部材２で縛るものである。
【００１３】
つまり、竹の皮１の包装材は、竹の皮１をゲル状の石鹸Ａの外側包装材として用いるものであり、図１に図示するように、異形状の包装姿に、自然の模様であり、同じ模様は２つとあり得ない竹の皮１の包装材は人目を集め、販売促進に繋がるものである。
【００１４】
そして、図２及び図３は本考案の竹の皮１の包装材の他の実施例の開封状態の正面説明図であり、外側包装材Ａｂが相違するもので、図４は本考案の竹の皮の包装材の販売状態の実施例の包装状態の正面説明図でであり、図５は本考案の竹の皮１の包装材の実施例の包装状態で説明書を添付した状態の背面説明図である。
【産業上の利用可能性】
【００１５】
本考案は、竹の皮で略球形状又は略楕円球形状のゲル状の石鹸を包装したものであり、奇抜なアイデアであり、展示しているとユーザーから驚嘆の声が聞かれ、人目を引き、更に、竹の皮は昔から抗菌性を有するとされ、おにぎりや高級和菓子等の包装材とされていたが、自然のもので必要な時に必要な数量を確保することは困難で、包装材としては廃れてきているが、この抗菌性を有する竹の皮で略球形状又は略楕円球形状のゲル状の石鹸を包装することにより、石鹸及び内側包装材等が清潔に維持される竹の皮の包装材を提供するものである。
【図面の簡単な説明】
【００１６】
【図１】図１は本考案の竹の皮の包装材の実施例の開封状態の正面説明図である。
【図２】図２は本考案の竹の皮の包装材の次実施例の開封状態の正面説明図である。
【図３】図３は本考案の竹の皮の包装材の他の実施例の開封状態の正面説明図である。
【図４】図４は本考案の竹の皮の包装材の販売状態の実施例の包装状態の正面説明図である。
【図５】図５は本考案の竹の皮の包装材の実施例の包装状態の背面説明図である。
【符号の説明】
【００１７】
Ａ      ゲル状の石鹸
Ａａ    内側包装材
Ａｂ    外側包装材
１      竹の皮
２      細切りした竹の皮又は糸状部材
【図１】
0003182726.tif 000003
【図２】
0003182726.tif 000004
【図３】
0003182726.tif 000005
【図４】
0003182726.tif 000006
【図５】
0003182726.tif 000007